(57)【要約】【課題】従来のプロジェクタ装置では、吸気口又は排気口の前面側の空間を広くするために装置全体として広いスペースを確保した状態のものが必要となり、装置全体が大型化される。【解決手段】光源からの光により画像形成素子を照明して画像を被投射面に投射するプロジェクタ装置に関する。プロジェクタ装置１には、装置筐体２と、ダクト筐体３と、一面側シロッコファン１３，１４と、他面側シロッコファン１５とを設ける。装置筐体２は、空気を取り入れる吸気窓６を有する。ダクト筐体３は、内部を２つに仕切ることにより一面側に第１の吸気路２４と排気路２５を形成し、他面側に第２の吸気路２６を形成する。一面側シロッコファン１３，１４は、第１の吸気路２４に吸気口３４を臨ませ、排気路２５に排気口３５を臨ませた状態でダクト筐体３に固定される。また、他面側シロッコファン１５は、第２の吸気路２６に吸気口３４を臨ませ、排気路２５に排気口３５を臨ませた状態でダクト筐体に固定される。【選択図】図１
2011141445.tif 000002
【特許請求の範囲】
【請求項１】
光源からの光により画像形成素子を照明して画像を被投射面に投射するプロジェクタ装置であって、
前記光源及び前記画像形成素子が収納されると共に空気を取り入れる吸気窓を有する装置筐体と、
前記装置筐体内に収納されると共に内部を２つに仕切ることにより一面側に第１の吸気路と排気路を形成し且つ他面側に第２の吸気路を形成するダクト筐体と、
前記第１の吸気路に吸気口を臨ませると共に前記排気路に排気口を臨ませた状態で前記ダクト筐体に固定される一又は二以上の一面側シロッコファンと、
前記第２の吸気路に吸気口を臨ませると共に前記排気路に排気口を臨ませた状態で前記ダクト筐体に固定される一又は二以上の他面側シロッコファンと、を設けた
プロジェクタ装置。
【請求項２】
前記ダクト筐体に、前記第１の吸気路と前記第２の吸気路とに連通されたダクト側吸気口を設けた
請求項１記載のプロジェクタ装置。
【請求項３】
前記ダクト筐体の前記排気口は、前記装置筐体内の１箇所に集中させて排気させるように設けた
請求項１記載のプロジェクタ装置。
【請求項４】
前記ダクト筐体の一面側又は他面側に、前記一面側シロッコファンと前記他面側シロッコファンを、互いの吸気口を逆向きに配置して取り付けた
請求項１記載のプロジェクタ装置。
【発明の詳細な説明】
【技術分野】
【０００１】
本発明は、液晶パネルやブラウン管等で作られた小型の表示装置の画像を、光学的に拡大して被投射面（スクリーン）に投射することで大画面を表示するプロジェクタ装置に関する。特に、装置内部に大量の空気を流通させるために複数のシロッコファンを使用する場合において、装置全体が大型化されるのを抑制し、装置全体の小型化を図ることができるプロジェクタ装置に関する。
【背景技術】
【０００２】
従来のプロジェクタ装置の第１の例としては、例えば、特許文献１に記載されているようなものがある。特許文献１には、内部を冷却するための吸気口及び排気口を備えたプロジェクタに関するものが記載されている。この特許文献１に記載されたプロジェクタは、使用するときに内部を冷却する冷却風の吸気口又は排気口の前面側を覆うケースの少なくとも一部が、前面側に移動して吸気口又は排気口とケースとの間に形成される空間を拡大する、ことを特徴としている。
【０００３】
この特許文献１に記載されたプロジェクタでは、本体に対して可動ケースを移動可能に支持すると共に、可動ケースに経路分離板を回動可能に支持している。プロジェクタの使用時には、可動ケースを本体から離して吸気口又は排気口の前面側の空間を広くする一方、不使用時には、可動ケースを本体に近づけて吸気口又は排気口の前面側の空間を狭くする構成となっている。これにより、使用時における吸気口又は排気口の前面側の空間を十分に大きく確保し、大量の空気を吸気又は排気できるようにして、吸気又は排気の効率を高め、冷却性能の改善を図っている。
【０００４】
また、従来のプロジェクタ装置の第２の例としては、例えば、特許文献２に記載されているようなものもある。特許文献２には、ライトバルブ手段の冷却に好適な冷却装置を備えた光学装置に関するものが記載されている。この光学装置は、光をライトバルブ手段に照射し、そのライトバルブ手段から出射された光を投射する光学装置に関する。光学装置は、筐体と、その筐体側面に設けられた吸入口と、その吸入口から取り入れ、送風するための送風手段と、その送風手段とライトバルブ手段との間に設けられ、複数の流路からなる送風路とから構成されている。そして、送風手段による送風によってライトバルブ手段を冷却する、ことを特徴としている。
【０００５】
この特許文献２に記載された光学装置では、吸入口及び排気口は筐体の側面に設けられており、その吸入口に吸入側の面を対向させて吸入ファンを配置し、また、排気口に排気側の面を対向させて排気ファンを配置している。そして、送風路は、送風手段の近傍からライトバルブ手段の近傍までの間に設置された案内部材により分割された複数の流路から構成されている。
【先行技術文献】
【特許文献】
【０００６】
【特許文献１】特開２００９−１１５９６７号公報
【特許文献２】特開２００７−５８２４２号公報
【０００７】
しかしながら、特許文献１に記載された第１の従来例の場合には、プロジェクタの使用時には、可動ケースを本体から離して吸気口又は排気口の前面側の空間を広くするため、装置全体として広いスペースを確保したものが必要になる。そのため、携帯時には一時的に小型化を図ることができるが、大きさを変更できない装置の場合には、空間を広くした状態で装置を構成する必要があり、装置全体が大型化されるという問題があった。
【０００８】
また、特許文献２に記載された第２の従来例の場合には、吸入口に吸入側の面を対向させて吸入ファンを配置し、排気口に排気側の面を対向させて排気ファンを配置する構成となっていた。そのため、装置の高さ（厚さ）として少なくとも吸入ファン又は排気ファンの吸入側又は排気側の面の大きさが必要となり、その風量を増加させようとすると、装置の高さが更に高くなり、装置全体が大型化されるという問題があった。更に、使用するファンの数が多い場合には、流路の数が多くなるためダクト筐体が大きくなり、装置全体が更に大型化されるという問題があった。
【発明の概要】
【発明が解決しようとする課題】
【０００９】
解決しようとする問題点は、従来のプロジェクタ装置では、吸気口又は排気口の前面側の空間を広くするために装置全体として広いスペースを確保した状態のものが必要となり、装置全体が大型化されることである。また、使用するシロッコファンの数が多くなると、流路の数が多くなるためダクト筐体が大きくなり、装置全体が更に大型化されるという点である。
【課題を解決するための手段】
【００１０】
本発明のプロジェクタ装置は、光源からの光により画像形成素子を照明して画像を被投射面に投射するプロジェクタ装置に関する。プロジェクタ装置には、装置筐体と、ダクト筐体と、一又は二以上の一面側シロッコファンと、一又は二以上の他面側シロッコファンとを設ける。装置筐体は、光源及び画像形成素子が収納されると共に、空気を取り入れる吸気窓を有する。ダクト筐体は、装置筐体内に収納されると共に、内部を２つに仕切ることにより一面側に第１の吸気路と排気路を形成し、且つ、他面側に第２の吸気路を形成する。一又は二以上の一面側シロッコファンは、第１の吸気路に吸気口を臨ませると共に、排気路に排気口を臨ませた状態でダクト筐体に固定される。また、一又は二以上の他面側シロッコファンは、第２の吸気路に吸気口を臨ませると共に、排気路に排気口を臨ませた状態でダクト筐体に固定される。
【発明の効果】
【００１１】
本発明のプロジェクタ装置によれば、複数のシロッコファンを使用して、装置全体が小型でありながら風量の大きな冷却システムを実現することができる。即ち、ダクト筐体の内部を２つに仕切って空気の流路を２つ設け、２つの吸気路及び排気路に関連して複数のシロッコファンの配置を工夫することにより、ダクト筐体を小型化させて、装置全体の小型化を図ることができる。
【図面の簡単な説明】
【００１２】
【図１】本発明のプロジェクタ装置の実施の形態の概略構成を示す説明図である。
【図２】本発明のプロジェクタ装置に係るダクト筐体の実施の形態の例を示す組立斜視図である。
【図３】本発明のプロジェクタ装置に係るダクト筐体の実施の形態の例を示す分解斜視図である。
【図４】本発明のプロジェクタ装置に係るダクト筐体を構成する第１のダクト部材の平面図である。
【図５】図２に示す組立状態のダクト筐体を縦方向に断面した説明図である。
【図６】本発明のプロジェクタ装置の実施の形態の例を示す説明図である。
【発明を実施するための形態】
【００１３】
吸気窓を有する装置筐体と、一面側に第１の吸気路と排気路を形成し且つ他面側に第２の吸気路を形成するダクト筐体と、一又は二以上の一面側シロッコファンと、一又は二以上の他面側シロッコファンと、を設ける。一面側シロッコファンの吸気口を第１の吸気路に臨ませると共に排気口を排気路に臨ませ、他面側シロッコファンの吸気口を第２の吸気路に臨ませると共に排気口を排気路に臨ませることにより、装置全体の小型化を、比較的簡単な構成によって実現した。
【実施例】
【００１４】
図６は、本発明のプロジェクタ装置（画像投射装置）の実施の形態の一例を示すものである。このプロジェクタ装置１は、外装ケースを構成する装置筐体２と、この装置筐体２内に収納されるダクト筐体３等を備えている。
【００１５】
装置筐体２は、上下に重ね合わされる上部筐体４と下部筐体５とからなり、両筐体４，５が上下に重ね合わされた状態で、図示しない固定ねじによって締付固定されている。上部筐体４及び下部筐体５の一方の側面には、外部の空気を装置筐体２内に取り入れるための吸気窓６が設けられている。装置筐体２の内部には、ダクト筐体３及び投射レンズユニット７の他に、図示しない光源ユニット、光学ユニット、電源ユニット等が収納されている。上部筐体４の正面部には貫通穴８が設けられており、その貫通穴８を貫通する投射レンズユニット７の先端部が、装置筐体２の正面から前方へ突出されている。
【００１６】
投射レンズユニット７は、図示しない光源ユニットの光源からの光（画像）を、図示しないスクリーン（被投射面）に拡大して投射する。光源ユニットは、例えば、高圧水銀放電ランプ、ハロゲンランプ等の光源ランプを備えている。光学ユニットは、例えば、光源ランプからの光束を平行光束に変換する偏光変換素子と、平行光束を赤、緑、青の各色光束Ｒ、Ｇ、Ｂに分解して変調する画像形成素子としての３枚の液晶パネルと、変調された色光束を合成するプリズム合成体等を備えている。電源ユニットは、光源ユニットや光学ユニット等に電力を供給し、光源ランプを点灯制御すると共に、液晶パネルを駆動制御し、その他の装置・機器にも電力を供給し動作させて制御する。
【００１７】
ダクト筐体３は、図１〜図５に示すような構成を有している。即ち、ダクト筐体３は、第１のダクト部材１１と、これに重ね合わされる第２のダクト部材１２とによって構成されている。第１のダクト部材１１と第２のダクト部材１２は、互いに重ね合わされた状態で、図示しない複数本の固定ねじにより締め付け固定され、組立、分解可能とされている。第１のダクト部材１１は、ベースとなる部材の機能を果たしており、この第１のダクト部材１１に３個のシロッコファン１３〜１５が固定されている。第２のダクト部材１２は、第１のダクト部材１１の一面側を覆う蓋体のような機能を果たしており、この第２のダクト部材１２にダクト側吸気口１６とダクト側排気口１７とが設けられている。
【００１８】
図３〜図５に示すように、第１のダクト部材１１は、平面方向に段差をもって展開されたベース面部２１と、このベース面部２１の外縁を囲うように連続して形成された側面部２２と、ベース面部２１を複数の領域に仕切る仕切り壁部２３等を有している。側面部２２はベース面部２１の両側に突出されており、ベース面部２１の一方の面が一面側とされ、他方の面が他面側とされている。ベース面部２１の第３の領域２１ｃと反対側には、一面側と他面側を連通する連通口１８が設けられている。この第１のダクト部材１１の一面側に第２のダクト部材１２が重ね合わされ、両ダクト部材１１，１２間に形成された空間部に第１の吸気路２４と排気路２５が形成されている。
【００１９】
第１の吸気路２４及び排気路２５の高さＦは、ファンの性能を最大限に活かせる最小高さ、即ち、シロッコファンの高さＨ（吸気口と直交する方向）より少し高い程度に設定している（図１、図５を参照）。これに対して、第１のダクト部材１１の他面側は、装置筐体２の下部筐体５によって覆われ、この第１のダクト部材１１の他面側と下部筐体５との間に形成された空間部によって第２の吸気路２６が形成されている。第２の吸気路２６の高さＲは、シロッコファンの吸気に必要な空気量を充分に確保できる高さに設定されている。これにより、使用するシロッコファンの吸気に必要な吸気量を確保しつつ、ダクト筐体３の小型化を図ることができる。
【００２０】
第１のダクト部材１１のベース面部２１は、第１のシロッコファン１３が配置される第１の領域２１ａと、第２のシロッコファン１４が配置される第２の領域２１ｂと、第３のシロッコファン１５が配置される第３の領域２１ｃとが設けられている。３つの領域２１ａ〜２１ｃは、それらの中心を結ぶ形状が三角形をなすように配置されており、第１の領域２１ａと第２の領域２１ｂに第１の吸気路２４が設定されている。そして、これら３つの領域２１ａ〜２１ｃの内側に、装置筐体２内の１箇所に排気を集中させる目的で３つの排気路２５Ａ，２５Ｂ，２５Ｃが設定されている。この３つの排気路２５Ａ〜２５Ｃは、第１のダクト部材１１の一面側に設けた仕切り壁部２３によって形成されており、同じく３つの開口部からなるダクト側排気口１７Ａ，１７Ｂ，１７Ｃに連通されている。
【００２１】
仕切り壁部２３は、第１のシロッコファン１３の排気路２５Ａを形成する第１区画部２３ａと、第２のシロッコファン１４の排気路２５Ｂを形成する第２区画部２３ｂと、第３のシロッコファン１５の排気路２５Ｃを形成する第３区画部２３ｃとを有している。これら第１〜第３区画部２３ａ〜２３ｃのそれぞれの基端部は、第１〜第３の領域２１ａ〜２１ｃにそれぞれ個別に設定されている。第１〜第３区画部２３ａ〜２３ｃの各基端部には、第１〜第３のシロッコファン１３〜１５の排気口側を位置決めするための位置決め部２７がそれぞれ設けられている。
【００２２】
これに対し、第１〜第３区画部２３ａ〜２３ｃのそれぞれの先端部は、３つの領域２１ａ〜２１ｃの内側に設定された特定の１箇所に集めるように形成されており、その特定箇所の近傍に、各流路を閉じるように設定されている。３つの排気路２５を１箇所に集めているが、それらを連通させない理由は、それらを連通させると、３個のシロッコファン１３〜１５の排気が互いに打消し合うように作用することになり、ファンとしての機能を果たさなくなるからである。従って、３個のシロッコファン１３〜１５から吐出された空気は、第１〜第３区画部２３ａ〜２３ｃのそれぞれの先端部から第１〜第３の排気口１７Ａ〜１７Ｃに連通されて個別に排気される。
【００２３】
図１及び図３に示すように、第１のダクト部材１１のベース面部２１の第３の領域２１ｃには、一面側と他面側とを連通する連通穴２８が設けられている。この連通穴２８により、一面側と他面側の第２の通気路２６とが連通されている。なお、ベース面部２１の第１の領域２１ａと第２の領域２１ｂには貫通穴２９がそれぞれ設けられている。これらの貫通穴２９は、第１及び第２のシロッコファン１３，１４の背面側に突出した部分との接触を避けるために設けたものである。
【００２４】
３個のシロッコファン１３〜１５は、同一の形状及び大きさを有する同一のものを用いている。図１及び図３に示すように、第１〜第３のシロッコファン１３〜１５は、ファンケース３１と、このファンケース３１内に収納されている電動モータ３２と、この電動モータ３２の回転部に設けられている羽根車３３とを有している。ファンケース３１は、所定の間隔をあけて互いに平行に設けられた正面部３１ａ及び背面部３１ｂと、これら正面部３１ａ及び背面部３１ｂの周囲を囲うように設けられた周面部３１ｃとを有している。正面部３１ａの中央には、直径の大きな円形の吸気口３４が設けられている。そして、周面部３１ｃの１箇所で、正面部３１ａと直交する部分に排気口３５が設けられている。
【００２５】
ファンケース３１の背面部３１ｂの内側に電動モータ３２の固定部が固定され、その電動モータ３２の回転部に羽根車３３が設けられている。羽根車３３は、その正面側が正面部３１ａに設けた吸気口３４に対向され、その側面部が周面部３１ｃに設けた排気口３５に対向されている。電動モータ３２を駆動すると、ファンケース３１の正面部３１ａと背面部３１ｂの間に介在された羽根車３３が回転駆動され、これによりファンケース３１の内部に負圧が発生する。このファンケース３１内に発生する負圧によって外部の空気が吸気口３４から吸い込まれ、羽根車３３の回転により９０度方向変換されて加圧された状態で、吸気方向と垂直をなす接線方向に移動して排気口３５から加圧された空気が吐出される。
【００２６】
第１のシロッコファン１３は、背面部３１ｂをベース面部２１に接触させた状態で、第１の領域２１ａの所定位置に、図示しないダンパーを介して取り付けられている。このとき、排気口３５を第１区画部２３ａの位置決め部２７に係合させ、第１のシロッコファン１３の位置決めを行う。これにより、第１のシロッコファン１３が、第１の吸気路２４に吸気口３４を臨ませると共に、その排気口３５を第１の排気路２５Ａに臨ませた状態で、第１のダクト部材１１に固定される。
【００２７】
第２のシロッコファン１４は、同じく背面部３１ｂをベース面部２１に接触させた状態で、第２の領域２１ｂの所定位置に、図示しないダンパーを介して取り付けられている。このとき、排気口３５を第２区画部２３ｂの位置決め部２７に係合させ、第２のシロッコファン１４の位置決めを行う。これにより、第２のシロッコファン１４が、第１の吸気路２４に吸気口３４を臨ませると共に、その排気口３５を第２の排気路２５Ｂに臨ませた状態で、第１のダクト部材１１に固定される。これら第１のシロッコファン１３と第２のシロッコファン１４とが一面側シロッコファンを構成している。
【００２８】
第３のシロッコファン１５は、正面部３１ａをベース面部２１に接触させた状態で、一面側の第３の領域２１ｃの所定位置に、図示しないダンパーを介して取り付けられている。このとき、吸気口３４をベース面部２１の連通穴２８に位置合わせすると共に、排気口３５を第３の区画部２３ｃの位置決め部２７に係合させ、第３のシロッコファン１５の位置決めを行う。これにより、第３のシロッコファン１５が、ベース面部２１の他面側に設定された第２の吸気路２６に吸気口３４を臨ませると共に、その排気口３５を一面側に設定された第３の排気路２５Ｃに臨ませた状態で、第１のダクト部材１１の一面側に固定される。この第３のシロッコファン１５が他側シロッコファンを構成している。
【００２９】
この実施例では、一面側シロッコファンを２個設け、他側シロッコファンを１個設けた例について説明した。しかしながら、本発明は、これに限定されるものではなく、一面側シロッコファンを１個設け、他側シロッコファンを２個設けてもよく、また、一面側シロッコファンと他側シロッコファンを共に１個設ける構成としてもよい。更に、一面側シロッコファンと他側シロッコファンを共に２個以上設ける構成としてもよいことは勿論である。
【００３０】
図１〜図３に示すように、第２のダクト部材１２は、平面方向に段差をもって展開された平面部４１と、この平面部４１の外縁を囲うように連続して形成された側面部４２と、平面部４１の一側に連続して設けた吸気部４３等を有している。第２のダクト部材１２の平面形状は、第１のダクト部材１１の平面形状に見合う形状とされていて、その一側に、吸気部４３が設けられている。吸気部４３には横長とされた２つの吸気口１６Ａ，１６Ｂが横並びに配置されており、これらによってダクト側吸気口１６が構成されている。２つの吸気口１６Ａ，１６Ｂは、第２のダクト部材１２の排気口１７とは反対の上面に開口されている。そして、２つの吸気口１６Ａ，１６Ｂの下部開口は、第１のダクト部材１１の第１領域２１ａ及び第２領域２１ｂにそれぞれ連通されている。
【００３１】
第２のダクト部材１２の３つのダクト側排気口１７Ａ，１７Ｂ，１７Ｃは、第１のダクト部材１１の３つの排気路２５Ａ，２５Ｂ，２５Ｃと対応する位置に設けられている。第２のダクト部材１２の平面部４１のうち、第１のダクト部材１１の第１の領域２１ａと第２の領域２１ｂとに対応する部分は、他の部分よりも高くして吸気スペースＳを設けている。これにより、第１及び第２のシロッコファン１３，１４の吸気側の空間部を広くして、各吸気口３４から十分な量の空気を吸引できるようにしている。一方、第１のダクト部材１１の第３の領域２１ｃに対応する部分は、第３のシロッコファン１５の背面部３１ｂに対向されるため、十分に低く設定して、ダクト筐体３の小型化に寄与させている。
【００３２】
このような構成を有するプロジェクタ装置１は、例えば、次のようにして組み立てることができる。まず、ダクト筐体３を組み立てる場合について説明する。第１のダクト部材１１の一面側の第１〜第３の領域２１ａ〜２１ｃに第１〜第３のシロッコファン１３〜１５を配置する。このとき、第１及び第２のシロッコファン１３，１４は、吸気口３４を上に向けて背面部３１ｂをベース面部２１に接触させる一方、第３のシロッコファン１５は、吸気口３４を下にして正面部３１ａをベース面部２１に接触させる。そして、それぞれの排気口３５を位置決め部２７に係合させて位置合わせした状態で、ダンパーを介して各シロッコファン１３〜１５をベース面部２１に固定する。
【００３３】
次に、第１のダクト部材１１の上に第２のダクト部材１２を重ね合わせ、両ダクト部材１１，１２をねじ止めする。これにより、ダクト筐体３の組み立てが完了する。次に、このように組み立てられたダクト筐体３を装置筐体２に組み立てる。これは、例えば、ダクト筐体３と投射レンズユニット７、図示しない光源ユニット、光学ユニット、電源ユニット等を、下から重ね合わせ、或いは横並びに配置して順序良く組み立てるようにする。その結果、図６に示すように、装置筐体２の所定位置にダクト筐体３等が組み立てられたプロジェクタ装置１を得ることができる。
【００３４】
このように組み立てられたプロジェクタ装置１の作用は、例えば、次の通りである。電源ユニットからダクト筐体３内の３つのシロッコファン１３〜１５に電力を供給すると、各シロッコファン１３〜１５において電動モータ３２が駆動され、それぞれの回転部に設けた羽根車３３が回転駆動される。これにより、各シロッコファン１３〜１５において、排気口３５側と吸気口３４側の間に圧力差が生じ、吸気口３４側の空気がファンケース３１内に吸気される。その結果、図６に示すように、装置筐体２の外部に存在する空気が、吸気窓６から装置筐体２内に入り込み、更に、ダクト側吸気口１６からダクト筐体３内に入り込む。
【００３５】
図１に示すように、ダクト筐体３内に入り込んだ空気は、第１のダクト部材１１に設けた連通口１８によって２つに分岐され、一方の空気が一面側に設けた第１の通気路２４内に入り込み、他方の空気が他面側に設けた第２の通気路２６内に入り込む。第１の通気路２４内に入り込んだ空気は、第１及び第２のシロッコファン１３，１４では、それぞれ吸気口３４から吸気され、羽根車３３によって加圧された状態で排気口３５から第１及び第２の排気路２５Ａ，２５Ｂ内にそれぞれ吐出される。そして、各排気路２５Ａ，２５Ｂからダクト側排気口１７Ａ，１７Ｂを経て、装置筐体２内の所定位置に吐出される。
【００３６】
一方、第２の通気路２６内に入り込んだ空気は、第３のシロッコファン１５において、その吸気口３４から吸気され、羽根車３３によって加圧された状態で一面側に設けた排気口３５から第３の排気路２５Ｃ内に吐出される。そして、第３の排気路２５Ｃからダクト側排気口１７Ｃを経て、装置筐体２内の所定位置に吐出される。
【００３７】
これら３つのシロッコファン１３〜１５から吐出される外部の空気は、装置筐体２内において、光学ユニットや光源ユニット等に吹き付けられる。これにより、光学ユニットや光源ユニット等が冷やされ、その温度上昇が抑制される。その結果、光学ユニットの光学素子や画像形成素子等を冷却して劣化を抑制し、長寿命化を図ることができる。また、光源ユニットの光源ランプを冷却して劣化を抑制し、長寿命化を図ることができる。
【００３８】
特に、本実施例の場合には、第１のダクト部材１１の両面に２つの通気路を設定すると共にシロッコファンの配置を工夫して、吸気側の空気を２系統に分けて複数個のシロッコファンに供給する構成とした。そのため、各シロッコファンに対して１度に大量の空気を供給することができ、その大量の空気を用いて発熱部位や発熱部品等を効率的に冷却することができる。しかも、空気が流通するダクトの高さを、使用するシロッコファンの性能を最大限に活かすことができる幅寸法と同程度にして、最小高さに設定することができ、ダクト高さの最適化を図ることができる。これにより、プロジェクト装置１の幅、奥行き、高さの全ての寸法面において小型化が可能となった。
【００３９】
以上説明したが、本発明は前記実施例に限定されるものではなく、本発明の要旨を逸脱しない範囲内で各種の変形実施が可能である。例えば、前記実施例では、３個のシロッコファンを用いた例について説明したが、使用するシロッコファンは２個であってもよく、また、４個以上であってもよい。
【符号の説明】
【００４０】
１…プロジェクタ装置（画像投射装置）、  ２…装置筐体、  ３…ダクト筐体、  ４…上部筐体、  ５…下部筐体、  ６…吸気窓、  ７…投射レンズユニット、  １１…第１のダクト部材、  １２…第２のダクト部材、  １３，１４，１５…シロッコファン、  １６，１６Ａ，１６Ｂ…ダクト側吸気口、  １７，１７Ａ，１７Ｂ、１７Ｃ…ダクト側排気口、  １８…連通口、  ２１…ベース面部、  ２１ａ，２１ｂ，２１ｃ…領域、  ２２…側面部、  ２３…仕切り壁部、  ２３ａ，２３ｂ，２３ｃ…区画部、  ２４…第１の吸気路、  ２５，２５Ａ，２５Ｂ，２５Ｃ…排気路、  ２６…第２の吸気路、  ２７…位置決め部、  ２８…連通穴、  ３１…ファンケース、  ３１ａ…正面部、  ３１ｂ…背面部、  ３１ｃ…周面部、  ３２…電動モータ、  ３３…羽根車、  ３４…吸気口、  ３５…排気口、  ４３…吸気部
【図１】
2011141445.tif 000003
【図２】
2011141445.tif 000004
【図３】
2011141445.tif 000005
【図４】
2011141445.tif 000006
【図５】
2011141445.tif 000007
【図６】
2011141445.tif 000008